(57)【要約】【課題】雨衣（上着）における前開き部の優れた防水構造を提供する。【解決手段】左・右前身頃（ＦＬ）（ＦＲ）の何れか一方における身頃本体（１０Ｒ）が前開き部（Ｓ）に臨む前縁側を、その前開き部のスライドファスナー（１４）に覆いかぶさる一定帯幅（Ｗ２）の内カバー（１１）として連続一体に張り出し延長して、そのスライドファスナー（１４）を乗り越えた途中から外向きに折り返し重合する一方、左・右前身頃（ＦＬ）（ＦＲ）の他方における身頃本体（１０Ｌ）が同じく前開き部に臨む前縁側を、上記内カバー（１１）の外向き折り返し重合片部（１９）へ覆いかぶさる一定帯幅の外カバー（１２）として連続一体に張り出し延長した。【選択図】図７
0003184133.tif 000002
【実用新案登録請求の範囲】
【請求項１】
左・右前身頃の何れか一方における身頃本体が前開き部に臨む前縁側を、その前開き部のスライドファスナーに覆いかぶさる一定帯幅の内カバーとして連続一体に張り出し延長して、そのスライドファスナーを乗り越えた途中から外向きに折り返し重合する一方、
左・右前身頃の他方における身頃本体が同じく前開き部に臨む前縁側を、上記内カバーの外向き折り返し重合片部へ覆いかぶさる一定帯幅の外カバーとして連続一体に張り出し延長すると共に、
上記外カバーと内カバーとをその内カバーの外向き折り返し重合片部が挟み込まれるように、雌雄一対づつのハトメホックや面ファスナー、その他の係脱可能な係止具によって係止したことを特徴とする雨衣における前開き部の防水構造。
【請求項２】
スライドファスナーにおける一方のテープ片を内カバーの張り出し基端部へ、その身頃本体の裏当て状態に縫い付ける一方、
その内カバーの外向き折り返し重合片部を受け入れる懐になり得る一定帯幅の別個な接続布を、外カバーの張り出し基端部へその身頃本体の同じく裏当て状態に縫い付けると共に、
上記スライドファスナーにおける他方のテープ片をその接続布の先端部へ縫い付けたことを特徴とする請求項１記載の雨衣における前開き部の防水構造。
【請求項３】
内カバーの外向き折り返し重合片部を、点在分布するカンヌキ部での縫い合わせ状態に固定維持したことを特徴とする請求項１又は２記載の雨衣における前開き部の防水構造。
【請求項４】
身頃本体における外カバーの張り出し基端部に相当する位置へ、その外カバーがあたかも身頃本体との別個なパーツであるかのように表示する仕切り装飾ラインを、スライドファスナーとの平行状態に列設したことを特徴とする請求項１又は２記載の雨衣における前開き部の防水構造。
【請求項５】
仕切り装飾ラインを光が当ると反射する一条の直線として、身頃本体の表面へ熱転写又はシルクスクリーン印刷により施したことを特徴とする請求項４記載の雨衣における前開き部の防水構造。
【考案の詳細な説明】
【技術分野】
【０００１】
本考案は雨衣（上着）における前開き部の防水構造に関する。
【背景技術】
【０００２】
雨衣（上着）の前開き部を閉合するスライドファスナーから内側へ、風雨の浸入するおそれを予防する技術が、実開平１−１０２１０６号公報（特許文献１）に記載されている。
【０００３】
この公知考案の構成では防水服（Ａ）の前開き部（ａ）に介在するスライドファスナー（２）を、内カバー片（３）によって表側（外側）から被覆すると共に、その内カバー片（３）の折り返し部（３ａ）も含む全体を、更に表側（外側）から外カバー片（４）によって被覆するようになっている。
【先行技術文献】
【特許文献】
【０００４】
【特許文献１】実開平１−１０２１０６号公報
【考案の概要】
【考案が解決しようとする課題】
【０００５】
ところが、上記公知考案の内カバー片（３）と外カバー片（４）は、たとえ防水服（Ａ）の防水性布地と同じ布地から成る帯状体であるとしても、その防水服（前身頃）（Ａ）との連続一体物ではなく、何れも別個なパーツである。
【０００６】
そのため、その別個のパーツである内カバー片（３）と外カバー片（４）とを作成準備した上、これらを防水服（前身頃）（Ａ）における前開き部（ａ）の前縁（１ａ）（１ｂ）に沿って、各々取り付ける（縫着する）必要があり、その作業上甚だ煩らわしく、量産効果を最大限に発揮させることができない。
【０００７】
しかも、上記内カバー片（３）は防水服（前身頃）（Ａ）の前開き部（ａ）における一方の前縁（１ａ）に沿って、その表側（外側）から縫着されており、外カバー片（４）も同じく他方の前縁（１ｂ）に沿って、やはり表側（外側）から縫着されている。
【０００８】
つまり、防水服（前身頃）（Ａ）の前開き部（ａ）が閉合された状態を示す第２図からも明白なように、その前開き部（ａ）のスライドファスナー（２）が上記折り返し部（３ａ）を有する内カバー片（３）と外カバー片（４）によって、たとえ重畳的に被覆されるとしても、これらの基端縁部を防水服（前身頃）（Ａ）に縫着しているミシン目は、その防水服（前身頃）（Ａ）の表側（外側）へ悉く露出しているため、その縫着ミシン目から内側へ浸入する風雨を完全に遮断することは不可能であり、未だ防水・防寒効果にも劣ると言わざるを得ない。
【課題を解決するための手段】
【０００９】
本考案はこのような課題の改良を目的としており、その目的を達成するために、請求項１では左・右前身頃の何れか一方における身頃本体が前開き部に臨む前縁側を、その前開き部のスライドファスナーに覆いかぶさる一定帯幅の内カバーとして連続一体に張り出し延長して、そのスライドファスナーを乗り越えた途中から外向きに折り返し重合する一方、
【００１０】
左・右前身頃の他方における身頃本体が同じく前開き部に臨む前縁側を、上記内カバーの外向き折り返し重合片部へ覆いかぶさる一定帯幅の外カバーとして連続一体に張り出し延長すると共に、
【００１１】
上記外カバーと内カバーとをその内カバーの外向き折り返し重合片部が挟み込まれるように、雌雄一対づつのハトメホックや面ファスナー、その他の係脱可能な係止具によって係止したことを特徴とする。
【００１２】
又、請求項２ではスライドファスナーにおける一方のテープ片を内カバーの張り出し基端部へ、その身頃本体の裏当て状態に縫い付ける一方、
【００１３】
その内カバーの外向き折り返し重合片部を受け入れる懐になり得る一定帯幅の別個な接続布を、外カバーの張り出し基端部へその身頃本体の同じく裏当て状態に縫い付けると共に、
【００１４】
上記スライドファスナーにおける他方のテープ片をその接続布の先端部へ縫い付けたことを特徴とする。
【００１５】
請求項３では内カバーの外向き折り返し重合片部を、点在分布するカンヌキ部での縫い合わせ状態に固定維持したことを特徴とする。
【００１６】
請求項４では身頃本体における外カバーの張り出し基端部に相当する位置へ、その外カバーがあたかも身頃本体との別個なパーツであるかのように表示する仕切り装飾ラインを、スライドファスナーとの平行状態に列設したことを特徴とする。
【００１７】
更に、請求項５では仕切り装飾ラインを光が当ると反射する一条の直線として、身頃本体の表面へ熱転写又はシルクスクリーン印刷により施したことを特徴とする。
【考案の効果】
【００１８】
請求項１の上記構成によれば、前開き部のスライドファスナーを重畳的に被覆する内カバーと外カバーとが、左・右前身頃の身頃本体から何れも連続一体に張り出し延長されており、冒頭の公知考案に具備されているような別個のパーツとして、身頃本体の表面へ縫着されたものではないため、目的の雨衣（上着）を極めて容易に製造することができ、最大限の量産効果を得られるのである。
【００１９】
又、左・右前身頃の何れか一方における身頃本体から前開き部への連続一体に張り出し延長した一定帯幅の内カバーを、その前開き部のスライドファスナーへ覆いかぶせると共に、残る他方の身頃本体から同じく前開き部への連続一体に張り出し延長した一定帯幅の外カバーを、上記内カバーの表側（外側）から更に覆いかぶせるようになっているため、その外カバーと内カバーとの相互間に内カバーの外向き折り返し重合片部が挟み込まれることや、その外カバーと内カバーとを身頃本体の表面へ縫い付けるミシン目が露出しないこととも相俟って、冒頭の公知考案に述べた課題を完全に改良できるのであり、優れた防水・防寒効果も得られることになる。
【００２０】
その場合、特に請求項２の構成を採用するならば、内カバーにおける一定帯幅の広い外向き折り返し重合片部を、前開き部に介在する別個な一定帯幅の接続布によって、確実に安定良く受け入れることができ、その接続布が身頃本体へやはり裏当て状態に縫い付けられていることとも相俟って、前開き部の防水・防寒効果をますます向上させることができる。
【００２１】
請求項３の構成を採用するならば、内カバーの外向き折り返し重合片部がいたずらに復元・展開してしまうおそれを防止でき、ますます確実・安定な防水・防寒状態を得られる。
【００２２】
又、請求項４の構成を採用するならば、上記内カバーと外カバーとが左・右前身頃の身頃本体と連続一体物であるにも拘らず、その仕切り装飾ラインによってあたかも身頃本体との別個なパーツであるかのように表示することができ、興趣変化に富む意匠効果も得られる。
【００２３】
殊更、請求項５の構成を採用するならば、上記仕切り装飾ラインが光を受けて反射することにより、夜間の屋外作業に雨衣（上着）を着用する作業者の安全確保に役立つ。
【図面の簡単な説明】
【００２４】
【図１】本考案に係る雨衣における前開き部の開放状態を示す正面図である。
【図２】図１の２−２線拡大断面図である。
【図３】前開き部の半閉じ（半開き）状態を示す図１に対応する正面図である。
【図４】図３の４−４線拡大断面図である。
【図５】図３の５−５線拡大断面図である。
【図６】前開き部の閉合状態を示す図１に対応する正面図である。
【図７】図６の７−７線拡大断面図である。
【考案を実施するための形態】
【００２５】
以下、図面に基いて本考案の好適な実施形態を詳述すると、図１、２はその雨衣（上着）における前開き部（Ｓ）の開放状態を、又図３〜５は同じく前開き部（Ｓ）の半閉じ（半開き）状態を、図６、７は更に前開き部（Ｓ）の閉合状態を各々示している。（ＦＬ）（ＦＲ）は左前身頃と右前身頃であって、その身頃本体（基布）（１０Ｌ）（１０Ｒ）が何れもポリエステルやナイロンなどの合成繊維から成り、その表面には撥水性が与えられている。
【００２６】
左・右前身頃（ＦＬ）（ＦＲ）の何れか一方（図例では着用者から見て右側）における身頃本体（１０Ｒ）が前開き部（Ｓ）に臨む（片寄る）前縁側は、同じく合成繊維の添え布（１１ａ）を付属した一定帯幅（Ｗ１）（例えば約６．５cm）の内カバー（下前立て）（１１）として、２枚合わせの状態に厚肉化されている。
【００２７】
又、左・右前身頃（ＦＬ）（ＦＲ）の残る他方（図例では着用者から見て左側）における身頃本体（１０Ｌ）が同じく前開き部（Ｓ）に臨む（片寄る）前縁側は、ここもやはり合成繊維の添え布（１２ａ）を付属した一定帯幅（Ｗ２）（例えば約５cm）の外カバー（上前立て）（１２）として、２枚合わせの状態に厚肉化されている。
【００２８】
そして、上記右前身頃（ＦＲ）の身頃本体（１０Ｒ）における内カバー（１１）を除く残余の薄肉な全体と、上記左前身頃（ＦＬ）の身頃本体（１０Ｌ）における外カバー（１２）を除く残余の薄肉な全体には、何れも裏布となるメッシュ（網布）（１３Ｒ）（１３Ｌ）が各々縁取り状態に縫い付けられており、身頃本体（１０Ｒ）（１０Ｌ）の形崩れ防止と通気性を得られるようになっている。
【００２９】
つまり、上記右前身頃（ＦＲ）の前縁側をなす厚肉な一定帯幅（Ｗ１）の内カバー（１１）は、その言わば１枚の薄肉な身頃本体（１０Ｒ）から前開き部（Ｓ）に向かって、連続一体に張り出し延長されており、その内カバー（１１）の張り出し基端部と上記メッシュ（網布）（１３Ｒ）の前開き部（Ｓ）に臨む前縁部とが、その前開き部（Ｓ）のスライドファスナー（１４）と平行なラインに沿って縫い付けられているのである。
【００３０】
（１５Ｒ）はそのライン上での縫い糸を示しているが、これによるメッシュ（網布）（１３Ｒ）の縫い付けは、身頃本体（１０Ｒ）の裏当て状態に行われ、そのミシン目が身頃本体（１０Ｒ）の表面へ露出しないようになっている。
【００３１】
他方、上記左前身頃（ＦＬ）の前縁側をなす厚肉な一定帯幅（Ｗ２）の外カバー（１２）も、その言わば１枚の薄肉な身頃本体（１０Ｌ）から前開き部（Ｓ）に向かって、やはり連続一体に張り出し延長されており、その外カバー（１２）の張り出し基端部と上記メッシュ（網布）（１３Ｌ）の前開き部（Ｓ）に臨む前縁部とが、同じく前開き部（Ｓ）のスライドファスナー（１４）と平行なラインに沿って縫い付けられている。（１５Ｌ）はそのライン上での縫い糸を示しているが、これによるメッシュ（網布）（１３Ｌ）の縫い付けも、やはり身頃本体（１０Ｌ）の裏当て状態に行われ、そのミシン目が身頃本体（１０Ｌ）の表面へ露出しないようになっている。
【００３２】
更に、上記スライドファスナー（１４）は左・右前身頃（ＦＬ）（ＦＲ）の前開き部（Ｓ）に介在するが、その左右何れか一方（図例では着用者から見て右側）のテープ片（１６Ｒ）は、上記右前身頃（ＦＲ）の身頃本体（１０Ｒ）における内カバー（１１）の張り出し基端部と、メッシュ（網布）（１３Ｒ）の前縁部との表裏（内外）相互間へ挟み込まれ、且つ上記縫い糸（１５Ｒ）を兼用して、やはり身頃本体（１０Ｒ）の裏当て状態に縫い付けられている。
【００３３】
（１７）は左・右前身頃（ＦＬ）（ＦＲ）の身頃本体（１０Ｌ）（１０Ｒ）と別個な一定帯幅（Ｗ３）（例えば約４cm）の接続布であって、これも身頃本体（１０Ｌ）（１０Ｒ）と同じ合成繊維から２枚合わせ状態に厚肉化されており、その一端部（基端部）が上記左前身頃（ＦＬ）の身頃本体（１０Ｌ）における外カバー（１２）の張り出し基端部と、メッシュ（網布）（１３Ｌ）の前縁部との表裏（内外）相互間へ挟み込まれ、しかも上記縫い糸（１５Ｌ）を兼用して、やはり身頃本体（１０Ｌ）の裏当て状態に縫い付けられている。
【００３４】
そして、その左前身頃（ＦＬ）の身頃本体（１０Ｌ）から前開き部（Ｓ）に向かって張り出す上記接続布（１７）の他端部（先端部）に、上記スライドファスナー（１４）における他方（図例では着用者から見て左側）のテープ片（１６Ｌ）が挟み込まれた上、そのスライドファスナー（１４）と平行なラインに沿って縫い付けられている。（１８）はそのライン上での縫い糸を示している。
【００３５】
上記スライドファスナー（１４）の右テープ片（１６Ｒ）が対応的な右前身頃（ＦＲ）の身頃本体（１０Ｒ）へ、又そのスライドファスナー（１４）の左テープ片（１６Ｌ）を支持する接続布（１７）の張り出し基端部が対応的な左前身頃（ＦＬ）の身頃本体（１０Ｌ）へ、何れも裏当て状態に各々縫い付けられている旨の説明から理解できるように、その右前身頃（ＦＲ）の身頃本体（１０Ｒ）から前開き部（Ｓ）へ連続一体に張り出し延長された一定帯幅（Ｗ１）の内カバー（下前立て）（１１）は、上記スライドファスナー（１４）へ表側（外側）から覆いかぶさる状態にある。
【００３６】
しかも、その内カバー（１１）における上記スライドファスナー（１４）を乗り越えて、接続布（１７）の表面上まで到達した途中から先端側は、一定帯幅（Ｗ４）（先に例示した約６．５cmのうちの約２cmだけ）の外向き折り返し重合片部（１９）として外向き（表向き）に折り返されている。
【００３７】
その場合、内カバー（１１）の外向き折り返し重合片部（１９）はその添え布（１１ａ）を付属する２枚合わせの状態として、ただ単に折り返し重合するだけにとどめてもさしつかえないが、いたずらに復元・展開することを防ぐ言わば癖付けのため、その外向き折り返し重合片部（１９）の点在分布する複数個所をカンヌキ部（２０）として、ジグザグ状に縫い合わせ固定維持することが好ましい。（２１）は上記２枚合わせの状態にある内カバー（１１）の張り出し先端部を縁取る状態の縫い糸である。
【００３８】
他方、上記左前身頃（ＦＬ）の身頃本体（１０Ｌ）から前開き部（Ｓ）に向かって連続一体に張り出し延長された一定帯幅（Ｗ２）の外カバー（上前立て）（１２）は、上記内カバー（１１）の外向き折り返し重合片部（１９）へ更に表側（外側）から覆いかぶさる状態にあり、上記前開き部（Ｓ）のスライドファスナー（１４）を重畳的に被覆して、その雨衣（上着）の前開き部（Ｓ）から内側へ浸入する風雨を完全に遮断・密封し得るようになっている。（２２）は上記２枚合わせの状態にある外カバー（１２）の張り出し先端部を縁取る状態の縫い糸である。
【００３９】
（２３）（２４）は上記内カバー（１１）と外カバー（１２）との召し合わせによる前開き部（Ｓ）の閉合状態を固定維持する雌雄一対づつのハトメホック（ドット釦）であって、その雄ハトメホック（２４）の複数が内カバー（１１）における上記外向き折り返し重合片部（１９）を除く中間部へ、点在分布状態にかしめ付け一体化されている一方、これと対応する雌ハトメホック（２３）の複数が外カバー（１２）の張り出し先端部付近へ、やはり点在分布状態にかしめ付けられており、これらを係止した時には、上記内カバー（１１）の外向き折り返し重合片部（１９）がその内カバー（１１）と外カバー（１２）によって挟み込まれるようになっている。
【００４０】
その場合、図例では雌雄一対づつのハトメホック（２３）（２４）を示したが、これに代る面ファスナーやその他の係脱可能な係止具を採用しても勿論良い。
【００４１】
更に、（２５）は上記左前身頃（ＦＬ）の身頃本体（１０Ｌ）における外カバー（１２）の張り出し基端部に相当する位置へ、その表側（外側）からの熱転写又はシルクスクリーン印刷によって、上記スライドファスナー（１４）との平行状態に列設された一条の仕切り装飾ラインであり、上記外カバー（１２）があたかも身頃本体（１０Ｌ）との別個なパーツであるかのように表示する。
【００４２】
このような意匠上のアクセントにもなる仕切り装飾ライン（２５）は、これを光が当ると反射し得る太い直線として、夜間の屋外作業に雨衣を着用した作業者の安全に役立てることが好ましい。
【００４３】
本考案に係る雨衣（上着）の上記構成では、その前開き部（Ｓ）が開放した図１、２の状態から図３、４のように、先ず右前身頃（ＦＲ）側の外向き折り返し重合片部（１９）を有する内カバー（１１）を、前開き部（Ｓ）のスライドファスナー（１４）へ覆いかぶさる張り出し延長状態に伏倒させ、次に図３、４の状態から図６、７のように、左前身頃（ＦＬ）側の外カバー（１２）を上記内カバー（１１）の外向き折り返し重合片部（１９）へ、覆いかぶさる張り出し延長状態に召し合わせて、その外カバー（１２）側の雌ハトメホック（２３）と上記内カバー（１１）側の雄ハトメホック（２４）とを悉く係止させることにより、その伏倒状態にある外カバー（１２）と内カバー（１１）とを固定維持すれば良く、このような操作を逆順序に行えば、その前開き部（Ｓ）の閉合状態から開放することも可能である。
【００４４】
その雨衣（上着）における前開き部（Ｓ）の閉合状態では、図６、７から明白なように、そのスライドファスナー（１４）への重畳的に覆いかぶさる内カバー（１１）と外カバー（１２）とが、左・右前身頃（ＦＬ）（ＦＲ）の身頃本体（１０Ｒ）（１０Ｌ）から前開き部（Ｓ）へ、何れも連続一体に張り出し延長されており、別個なパーツとして身頃本体（１０Ｒ）（１０Ｌ）の表面へ縫い付けられたものではないため、極めて簡便に雨衣（上着）を製造することができ、その量産効果を最大限に得られることは勿論、上記内カバー（１１）と外カバー（１２）との内外（表裏）相互間に、その内カバー（１１）の外向き折り返し重合片部（１９）が挟み込まれることとも相俟って、上記前開き部（Ｓ）から内側に浸入する風雨を完全に遮断・密封することができるのであり、防水・防寒効果に著しく優れる。
【符号の説明】
【００４５】
（１０Ｌ）（１０Ｒ）・身頃本体
（１１）・内カバー
（１１ａ）（１２ａ）・添え布
（１２）・外カバー
（１３Ｌ）（１３Ｒ）・メッシュ（網布）
（１４）・スライドファスナー
（１５Ｌ）（１５Ｒ）（１８）（２１）（２２）・縫い糸
（１６Ｌ）（１６Ｒ）・テープ片
（１７）・接続布
（１９）・外向き折り返し重合片部
（２０）・カンヌキ部
（２３）（２４）・ハトメホック
（２５）・仕切り装飾ライン
（ＦＬ）（ＦＲ）・左・右前身頃
（Ｓ）・前開き部
【図１】
0003184133.tif 000003
【図２】
0003184133.tif 000004
【図３】
0003184133.tif 000005
【図４】
0003184133.tif 000006
【図５】
0003184133.tif 000007
【図６】
0003184133.tif 000008
【図７】
0003184133.tif 000009